(57)【要約】【課題】複数のブラシに給電する給電構造の簡素化及び低コスト化を図ることができるモータを提供する。【解決手段】アーマチュア軸のコンミュテータに摺接する複数のブラシ３２，３３と、ブラシを出没自在に収納するブラシボックス３１を取り付けたブラシホルダ２０と、各ブラシにピグテールワイヤ３４を介して電気的に接続され、ブラシホルダに取り付けられる複数のターミナル４５，４６，４７とを備えたモータにおいて、ブラシホルダ２０に給電用のリードワイヤ３５，３６，３９を複数配索し、この各リードワイヤの一端部側を各ピグテールワイヤ３４に電気的に接続し、かつ、各リードワイヤの他端部３５ｂ，３６ｂ，３９ｂをブラシホルダに形成された貫通孔に貫通させて外側に突出させ、この外側に突出させた各リードワイヤの他端部３５ｂ，３６ｂ，３９ｂと各ターミナル４５，４６，４７とを電気的に接続した。【選択図】図４
2010154660.tif 000002
【特許請求の範囲】
【請求項１】
アーマチュア軸のコンミュテータに摺接する複数のブラシと、前記ブラシを出没自在に収納するブラシボックスを取り付けたブラシホルダと、前記各ブラシにピグテールワイヤを介して電気的に接続され、前記ブラシホルダに取り付けられる複数のターミナルとを備えたモータにおいて、
前記ブラシホルダに給電用のリードワイヤを複数配索し、この各リードワイヤの一端部側を前記各ピグテールワイヤに電気的に接続し、かつ、前記各リードワイヤの他端部を前記ブラシホルダに形成された貫通孔に貫通させて外側に突出させ、この外側に突出させた各リードワイヤの他端部と前記各ターミナルとを電気的に接続したことを特徴とするモータ。
【請求項２】
請求項１記載のモータであって、
前記各ターミナルと該各ターミナルを保持する一対のターミナルホルダとでコネクタユニットを構成し、このコネクタユニットを前記ブラシホルダの底壁部に着脱自在に取り付け、前記各ターミナルのＵ字状に折り曲げ形成された基端部に前記各リードワイヤの他端部を挿通させて電気的に接続したことを特徴とするモータ。
【請求項３】
請求項２に記載のモータであって、
前記一対のターミナルホルダをそれぞれ同一形状に形成したことを特徴とするモータ。
【請求項４】
請求項２乃至３記載のモータであって、
前記一対のターミナルホルダに前記各リードワイヤの他端部を挿通させる逆円錐面状の挿通孔を形成したことを特徴とするモータ。
【請求項５】
請求項２から４のいずれか１項に記載のモータであって、
前記一対のターミナルホルダに前記各ターミナルのＵ字状の基端部と前記各リードワイヤの他端部とを露出させる開口部をそれぞれ形成し、この各開口部の両側から一対の電極にて前記各ターミナルのＵ字状の基端部を押し潰すと同時に該各ターミナルのＵ字状の基端部と前記各リードワイヤの他端部とを溶接接合したことを特徴とするモータ。
【発明の詳細な説明】
【技術分野】
【０００１】
本発明は、モータ軸のコンミュテータに摺接するブラシを保持したブラシホルダを備えたモータに関する。
【背景技術】
【０００２】
例えば、ブラシに給電するための導電性のターミナルと電磁ノイズ低減用のチョークコイル等を備えたモータが知られている（例えば、特許文献１参照。）。
【０００３】
このモータは、ターミナルとチョークコイル及び中継端子とで構成されたターミナルアッセンブリ（端子組立部品）をギヤケースカバーの天井部の内面に組み付けている。
【０００４】
【特許文献１】特開２００５−１２４２８８号公報
【発明の開示】
【発明が解決しようとする課題】
【０００５】
前記従来のモータでは、ターミナルとチョークコイル及び中継端子の各部品の接合部にストレスを掛けない構造にしたが、各部品が複雑になると共にターミナルの形状が大きくなり、その分、部品及び組立工数が増えてコスト高であった。さらに、ターミナルとチョークコイル及び中継端子とを溶接や半田付け等により接合した後で、ギヤケースカバーの天井部の内面に組み付けるようにしていたため、各部品の接合部が剥離して導通に支障をきたすおそれがあった。
【０００６】
そこで、本発明は、前記した課題を解決すべくなされたものであり、複数のブラシに給電する給電構造の簡素化及び低コスト化を図ることができるモータを提供することを目的とする。
【課題を解決するための手段】
【０００７】
請求項１の発明は、アーマチュア軸のコンミュテータに摺接する複数のブラシと、前記ブラシを出没自在に収納するブラシボックスを取り付けたブラシホルダと、前記各ブラシにピグテールワイヤを介して電気的に接続され、前記ブラシホルダに取り付けられる複数のターミナルとを備えたモータにおいて、前記ブラシホルダに給電用のリードワイヤを複数配索し、この各リードワイヤの一端部側を前記各ピグテールワイヤに電気的に接続し、かつ、前記各リードワイヤの他端部を前記ブラシホルダに形成された貫通孔に貫通させて外側に突出させ、この外側に突出させた各リードワイヤの他端部と前記各ターミナルとを電気的に接続したことを特徴とする。
【０００８】
請求項２の発明は、請求項１記載のモータであって、前記各ターミナルと該各ターミナルを保持する一対のターミナルホルダとでコネクタユニットを構成し、このコネクタユニットを前記ブラシホルダの底壁部に着脱自在に取り付け、前記各ターミナルのＵ字状に折り曲げ形成された基端部に前記各リードワイヤの他端部を挿通させて電気的に接続したことを特徴とする。
【０００９】
請求項３の発明は、請求項２に記載のモータであって、前記一対のターミナルホルダそれぞれを同一形状に形成したことを特徴とする。
【００１０】
請求項４の発明は、請求項２乃至３記載のモータであって、前記一対のターミナルホルダに前記各リードワイヤの他端部を挿通させる逆円錐面状の挿通孔を形成したことを特徴とする。
【００１１】
請求項５の発明は、請求項１から４いずれか１項記載のモータであって、前記一対のターミナルホルダに前記各ターミナルのＵ字状の基端部と前記各リードワイヤの他端部とを露出させる開口部をそれぞれ形成し、この各開口部の両側から一対の電極にて前記各ターミナルのＵ字状の基端部を押し潰すと同時に該各ターミナルのＵ字状の基端部と前記各リードワイヤの他端部とを溶接接合したことを特徴とする。
【発明の効果】
【００１２】
以上説明したように、請求項１の発明によれば、ブラシホルダに給電用のリードワイヤを複数配索し、この各リードワイヤの一端部側を各ピグテールワイヤに電気的に接続し、かつ、各リードワイヤの他端部をブラシホルダに形成された貫通孔に貫通させて外側に突出させ、この外側に突出させた各リードワイヤの他端部と各ターミナルとを電気的に接続したことにより、ブラシホルダの外側に突出した各リードワイヤの他端部と各ターミナルとを簡単かつ確実に接続することができると共に、部品及び組立の工数を削減することができる。これにより、全体の低コスト化を図ることができる。
【００１３】
請求項２の発明によれば、各ターミナルと該各ターミナルを保持する一対のターミナルホルダとでコネクタユニットを構成し、このコネクタユニットをブラシホルダの底壁部に着脱自在に取り付け、各ターミナルのＵ字状に折り曲げ形成された基端部に各リードワイヤの他端部を挿通させて電気的に接続したことにより、ブラシホルダの底壁部にコネクタユニットを取り付けるだけで各ターミナルのＵ字状の基端部に各リードワイヤの他端部を挿通させることができ、組み付け作業を簡素化することができる。
【００１４】
請求項３の発明によれば、一対のターミナルホルダをそれぞれ同一形状に形成したことにより、金型を削減でき、低コスト化を図ることができる。
【００１５】
請求項４の発明によれば、一対のターミナルホルダに各リードワイヤの他端部を挿通させる逆円錐面状の挿通孔を形成したことにより、各リードワイヤの他端部を一対のターミナルホルダに形成された逆円錐面状の挿通孔により簡単かつスムーズに挿通させることができる。
【００１６】
請求項５の発明によれば、一対のターミナルホルダに各ターミナルのＵ字状の基端部と各リードワイヤの他端部とを露出させる開口部をそれぞれ形成し、この各開口部の両側から一対の電極にて各ターミナルのＵ字状の基端部を押し潰すと同時に該各ターミナルのＵ字状の基端部と各リードワイヤの他端部とを溶接接合したことにより、ブラシホルダの底壁部にコネクタユニットを取り付けた後で各ターミナルのＵ字状の基端部と各リードワイヤの他端部とを電気的に接続することができる。これにより、各ターミナルのＵ字状の基端部と各リードワイヤの他端部との接合部の剥離を確実に防止することができ、常に良好な導通状態を維持することができる。
【発明を実施するための最良の形態】
【００１７】
以下、本発明の一実施形態を図面に基づいて説明する。
【００１８】
図１は本発明の一実施形態のモータを示す斜視図、図２は同モータのギヤケースカバーに支持されたブラシホルダをカバー側から見た斜視図、図３は同ブラシホルダの斜視図、図４は同ブラシホルダの底面側にコネクタユニットを取り付ける前の状態を示す斜視図、図５は同コネクタユニットの一方のターミナルホルダを取り外した状態を示す斜視図、図６は同ブラシホルダのブラシホルダ本体に縦置きと横置きのチョークコイルをそれぞれ取り付ける前の状態を示す斜視図、図７は同ブラシホルダ本体にサーキットブレーカを取り付ける前の状態を示す斜視図、図８は同ブラシホルダ本体に横置きのチョークコイルを取り付けた状態を示す部分拡大斜視図、図９は同ブラシホルダ本体にサーキットブレーカ用のリードワイヤを取り付ける前の状態を示す斜視図、図１０は同ブラシホルダ本体に縦置きと横置きのチョークコイル及びサーキットブレーカとリードワイヤをそれぞれ取り付けた状態を示す斜視図、図１１は同ブラシホルダ本体の底壁部に複数のリードワイヤを配索した状態を示す部分拡大斜視図、図１２は同ブラシホルダ本体の底壁部より外側へ複数のリードワイヤの他端部側をそれぞれ突出させた状態を示す斜視図である。
【００１９】
図１及び図２に示すように、モータ１０は、図示しないアーマチュアを収納した有底で円筒状のヨーク（モータケース）１１と、このヨーク１１の開口部の周りのフランジ部１１ａがビス１７を介して円筒部１２ａの開口部の周りのフランジ部１２ｂに締結固定され、内部にアーマチュアのアーマチュア軸（モータ軸）１５に形成したウォームと該ウォームに噛合するウォームホイールから成る減速機構（図示省略）を収納したギヤケース１２と、このギヤケース１２の側壁部１２ｃにビス１８を介して締結固定されて該側壁部１２ｃの開口部を覆うギヤケースカバー１３とを備えている。そして、図２に示すように、ギヤケースカバー１３の内面に一体突出形成された雌コネクタ部１３ａにブラシホルダ２０のコネクタユニット４０を着脱自在に嵌め込んである。これにより、ブラシホルダ２０は、モータ１０を組み立てる際に、ギヤケース１２の円筒部１２ａ内の所定位置に位置決めされて組み付けられるようになっている。
【００２０】
図２〜図４に示すように、ブラシホルダ２０は、アーマチュア軸１５のコンミュテータ１６に電源を供給する給電用の一対のブラシ３２，３２及び接地用（アース用）のブラシ３３をそれぞれ出没自在に収納する３つのブラシボックス３１，３１，３１を取り付けた合成樹脂製で円環板状のステー３０と、このステー３０を底壁部２２に取り付けると共に、周壁部２３の内側に給電用の一対のブラシ３２，３２にそれぞれ接続される電磁ノイズ低減用の縦置きのチョークコイル３５を収納する略半円筒状のチョークコイル収納部２４及び横置きのチョークコイル３６を収納する四角凹状のチョークコイル収納部２６を形成した合成樹脂製のブラシホルダ本体２１と、このブラシホルダ本体２１の底壁部２２の下面２２ｂに着脱自在に取り付けられたコネクタユニット４０とを備えている。
【００２１】
図２〜図４に示すように、ステー３０の中央にはアーマチュア軸１５のコンミュテータ１６を貫通させる円形の貫通孔３０ａを形成してある。この貫通孔３０ａを挾むようにしてステー３０の上面３０ｂには、各ブラシボックス３１を放射状にそれぞれ取り付けてあり、この各ブラシボックス３１内に各ブラシ３２，３３を出没自在に収納してある。また、各ブラシ３２，３３は図示しない圧縮コイルバネ等の付勢手段によりコンミュテータ１６に接触するように押圧付勢されている。尚、ステー３０の給電用のブラシボックス３１と接地用のブラシボックス３１が取り付けられる外周縁３０ｃ側には、凹状の切欠き部３０ｄ，３０ｅをそれぞれ形成してある。また、ステー３０の外周縁３０ｃはブラシホルダ本体２１の周壁部２３の内周面２３ａに複数形成された上，下の各係止爪２３ｂ，２３ｃ間に保持されている。
【００２２】
図６〜図１２に示すように、ブラシホルダ本体２１の底壁部２２は楕円環板状に形成してあり、その上面２２ａと周壁部２３の一方の垂直壁部分との間には電磁ノイズ低減用で縦置きのチョークコイル３５を収納する略半円筒状のチョークコイル収納部２４を形成してある。この略半円筒状のチョークコイル収納部２４内に収納保持されるチョークコイル３５はその巻回部３５ｃ内に円柱状のマグネット３５ｄを接着等により固着してあり、その一端部３５ａには一端部３４ａが給電用のブラシ３２に接続されたピグテールワイヤ３４の他端部３４ｂを加締め板３４ｃの加締めにより接合してある。また、図１１に示すように、チョークコイル３５のリードワイヤを兼ねた他端部３５ｂは、ブラシホルダ本体２１の底壁部２２に形成された第１の貫通孔２５ａに貫通されて外側に突出している。この第１の貫通孔２５ａの周辺のブラシホルダ本体２１の底壁部２２には後述するコネクタユニット４０の各ターミナルホルダ４１の一対の係止突起４２，４２が係止・離脱される各一対の係止孔２３ｄ，２３ｄをそれぞれ形成してある。
【００２３】
図６〜図１２に示すように、ブラシホルダ本体２１の底壁部２２の上面２２ａと周壁部２３の一方の垂直壁部分との間には電磁ノイズ低減用で横置きのチョークコイル３６を収納する四角凹状のチョークコイル収納部２６を形成してあると共に、該底壁部２２の上面２２ａのチョークコイル収納部２６から第２の貫通孔２５ｂにかけて横置きのチョークコイル３６のリードワイヤを兼ねた他端部３６ｂを配索する収納溝部２７を形成してある。チョークコイル収納部２６の両側には電磁ノイズ低減用で横置きのチョークコイル３６を保持する一対の係止爪２６ａ，２６ａを一体突出形成してある。また、収納溝部２７の両側には横置きのチョークコイル３６の他端部３６ｂを係止する一対の突起（係止部）２７ａ，２７ａ及び一対の係止爪（係止部）２７ｂ，２７ｂを形成してある。
【００２４】
さらに、ブラシホルダ本体２１の四角凹状のチョークコイル収納部２６に収納されたチョークコイル３６を保持する一方の係止爪２６ａの近傍の周壁部２３には、チョークコイル３６の他端部３６ａを保持するＣ字状のクランプ部２６ｃを一体形成してある。
【００２５】
図６に示すように、四角凹状のチョークコイル収納部２６内に収納保持されるチョークコイル３６はその巻回部３６ｃ内に円柱状のマグネット３６ｄを接着等により固着してあり、その一端部３６ａには一端部３４ａが給電用のブラシ３２に接続されたピグテールワイヤ３４の他端部３４ｂを加締め板３４ｃの加締めにより接合してある。また、図７，図１０，図１１に示すように、チョークコイル３６のリードワイヤを兼ねた他端部３６ｂは、ブラシホルダ本体２１の底壁部２２に形成され収納溝部２７に配索されると共に第２の貫通孔２５ｂに貫通されて外側に突出している。尚、各チョークコイル３５，３６は、比較的高い周波数の電流を阻止し、直流又は比較的低い周波数の電流だけを通過させることを目的とした電磁ノイズ低減用（雑音防止用）のコイルである。
【００２６】
また、図７，図９〜図１２に示すように、ブラシホルダ本体２１の底壁部２２の上面２２ａと周壁部２３の他方の垂直壁部分との間には過電流防止用のサーキットブレーカ３７を収納するサーキットブレーカ収納部２８を形成してあると共に、該底壁部２２の上面２２ａのサーキットブレーカ収納部２８から第３の貫通孔２５ｃにかけてリードワイヤ３９を配索する収納溝部２９を形成してある。この収納溝部２９の両側にはリードワイヤ３９を係止する一対の突起（係止部）２９ａ，２９ａ及び一対の係止爪（係止部）２９ｂ，２９ｂを形成してある。さらに、ブラシホルダ本体２１の収納溝部２９の一端が位置する周壁部２３にはリードワイヤ３９の折れ曲がった一端部３９ａを保持するＣ字状のクランプ部２９ｃを一体突出形成してある。
【００２７】
図７，図９〜図１１に示すように、サーキットブレーカ収納部２８に収納されるサーキットブレーカ３７のサーキットブレーカターミナル３８の一端部３８ａには、一端部３４ａが接地用のブラシ３３に接続されたピグテールワイヤ３４の他端部３４ｂにスポット溶接により接合してある。また、サーキットブレーカターミナル３８の他端部３８ｂには、収納溝部２９に配索されたリードワイヤ３９の一端部３９ａがスポット溶接により接合されるようになっている。そして、この収納溝部２９に配索されたれたリードワイヤ３９の他端部３９ｂは第３の貫通孔２５ｃに貫通されて外側に突出している。尚、サーキットブレーカ３７に固定されたサーキットブレーカターミナル３８はブラシホルダ本体２１の周壁部２３に一体形成された係止片部２３ｅにより保持されている。また、サーキットブレーカターミナル３８の他端部３８ｂにはアースターミナル１９がスポット溶接により接合されており、このアースターミナル１９はギヤケース１２の円筒部１２ａ内に接触するようになっている。
【００２８】
図３〜図５に示すように、コネクタユニット４０は、一対のブラシ３２，３２に電源を供給する給電用の一対のターミナル４５，４６と、接地用のブラシ３３に接続される接地用（アース用）のターミナル４７と、これら各ターミナル４５，４６，４７を挾持する合成樹脂製で同一形状の一対のターミナルホルダ４１，４１とで構成されている。
【００２９】
このコネクタユニット４０の一対のターミナルホルダ４１，４１の上面には、ブラシホルダ本体２１の底壁部２２に形成された各一対の係止孔（係合部）２３ｄ，２３ｄに係止・離脱される一対の係止突起（係止部）４２，４２を一体突出形成してある。また、一対のターミナルホルダ４１，４１の上面には、内部の各ターミナル収納部４１ａ，４１ｂ，４１ｃに連通して各チョークコイル３５，３６の他端部３５ｂ，３６ｂとリードワイヤ３９の他端部３９ｂを挿通させる逆円錐面状の挿通孔４３ａ，４３ｂ，４３ｃをそれぞれ形成してある。
【００３０】
さらに、一対のターミナルホルダ４１，４１の側面には、各ターミナル４５，４６，４７のＵ字状に折り曲げ形成された基端部４５ａ，４６ａ，４７ａと該各ターミナル４５，４６，４７のＵ字状の基端部４５ａ，４６ａ，４７ａ内に挿通した各チョークコイル３５，３６の他端部３５ｂ，３６ｂとリードワイヤ３９の他端部３９ｂとを露出させる開口部４４ａ，４４ｂ，４４ｃをそれぞれ形成してある。即ち、図５に示すように、一対のターミナルホルダ４１，４１間で形成される下段のターミナル収納部４１ａに長尺の給電用のターミナル４５を収納してあると共に該ターミナル４５のＵ字状の基端部４５ａに一方のチョークコイル３５の給電用のリードワイヤを兼ねた他端部３５ｂを挿通しており、これらが一対のターミナルホルダ４１，４１の下段の開口部４４ａより露出するようになっている。また、一対のターミナルホルダ４１，４１間で形成される中段のターミナル収納部４１ｂに中尺の給電用のターミナル４６を収納してあると共に該ターミナル４６のＵ字状の基端部４６ａに他方のチョークコイル３６の給電用のリードワイヤを兼ねた他端部３６ｂを挿通しており、これらが一対のターミナルホルダ４１，４１の中段の開口部４４ｂより露出するようになっている。さらに、一対のターミナルホルダ４１，４１間で形成される上段のターミナル収納部４１ｃに短尺の接地用のターミナル４７を収納してあると共に該ターミナル４７のＵ字状の基端部４７ａに給電用のリードワイヤ３９の他端部３９ｂを挿通しており、これらが一対のターミナルホルダ４１，４１の上段の開口部４４ｃより露出するようになっている。
【００３１】
そして、図３に示すように、一対のターミナルホルダ４１，４１の各開口部４４ａ，４４ｂ，４４ｃの両側から一対の電極４９，４９にて各ターミナル４５，４６，４７のＵ字状の基端部４５ａ，４６ａ，４７ａを押し潰すと同時に該各ターミナル４５，４６，４７のＵ字状の基端部４５ａ，４６ａ，４７ａと各チョークコイル３５，３６の他端部３５ｂ，３６ｂとリードワイヤ３９の他端部３９ｂとをスポット溶接により接合するようになっている。尚、一対のターミナルホルダ４１，４１のそれぞれの一端には複数の係止突起４１ｄが形成され、他端には複数の係止凹部４１ｅが形成されている。一方のターミナルホルダ４１の複数の係止突起４１ｄと他方のターミナルホルダ４１の複数の係止凹部４１ｅに対向するように嵌合されることにより、合体できるようになっている。また、スポット溶接により接合された各ターミナル４５，４６，４７の各先端部４５ｂ，４６ｂ，４７ｂは一対のターミナルホルダ４１，４１の正面より外側に突出していて、ギヤケースカバー１３の雌コネクタ部１３ａに嵌合されるようになっている。
【００３２】
以上実施形態のモータ１０によれば、ブラシホルダ２０を組み立てる場合に、図６に示すように、ブラシホルダ本体２１の略半円筒状のチョークコイル収納部２４内にピグテールワイヤ３４を介して給電用のブラシ３２を接続した縦置きのチョークコイル３５の巻回部３５ｃを収納して保持すると共に、その給電用のリードワイヤを兼ねた他端部３５ｂをブラシホルダ本体２１の底壁部２２に形成された第１の貫通孔２５ａに貫通させて外側に突出させる。
【００３３】
また、同様にして、ブラシホルダ本体２１の四角凹状のチョークコイル収納部２６内にピグテールワイヤ３４を介して給電用のブラシ３２を接続した横置きのチョークコイル３６の巻回部３６ｃを収納して一対の係止爪２６ａ，２６ａで保持すると共に、その給電用のリードワイヤを兼ねた他端部３６ｂをブラシホルダ本体２１の底壁部２２に形成した収納溝部２７内に配索する。この収納溝部２７内に配索されたチョークコイル３６の他端部３６ｂは、図１０，図１１に示すように、一対の突起２７ａ，２７ａ及び一対の係止爪２７ｂ，２７ｂに係止されるため、脱落することはない。また、チョークコイル３６の給電用のリードワイヤを兼ねた他端部３６ｂを、ブラシホルダ本体２１の底壁部２２に形成された第２の貫通孔２５ｂに貫通させて外側に突出させる。
【００３４】
次に、図７，図９に示すように、ブラシホルダ本体２１のサーキットブレーカ収納部２８の係止片部２３ｅに、ピグテールワイヤ３４を介して接地用のブラシ３３を接続したサーキットブレーカターミナル３８を有するサーキットブレーカ３７を係止すると共に、ブラシホルダ本体２１の底壁部２２に形成した収納溝部２９内にリードワイヤ３９を配索する。この際、リードワイヤ３９の折れ曲がった一端部３９ａをブラシホルダ本体２１のＣ字状のクランプ部２９ｃに押し込んで固定する。この収納溝部２９内に配索されたリードワイヤ３９は一対の突起２９ａ，２９ａ及び一対の係止爪２９ｂ，２９ｂに係止されるため、脱落することはない。次に、サーキットブレーカターミナル３８の他端部３８ｂとリードワイヤ３９の一端部３９ａとをスポット溶接により接合する。また、収納溝部２９内に配索されたれたリードワイヤ３９の他端部３９ｂを第３の貫通孔２５ｃに貫通させて外側に突出させておく。
【００３５】
そして、図４に示すように、ブラシホルダ本体２１の底壁部２２の下面２２ｂより外側に所定長突出した各チョークコイル３５，３６の他端部３５ｂ，３６ｂとリードワイヤ３９の他端部３９ｂとを、コネクタユニット４０の上面に形成された逆円錐面状の挿通孔４３ａ，４３ｂ，４３ｃを介して簡単かつスムーズに挿通させ、図５に示すように、ブラシホルダ本体２１の底壁部２２の下面２２ｂにコネクタユニット４０を取り付けると、コネクタユニット４０の下段のターミナル収納部４１ａに収納されたターミナル４５のＵ字状の基端部４５ａに一方のチョークコイル３５の他端部３５ｂが挿通し、また、中段のターミナル収納部４１ｂに収納されたターミナル４６のＵ字状の基端部４６ａに他方のチョークコイル３６の他端部３６ｂが挿通し、さらに、上段のターミナル収納部４１ｃに収納されたターミナル４７のＵ字状の基端部４７ａにリードワイヤ３９の他端部３９ｂが挿通する。この際、ターミナル４５のＵ字状の基端部４５ａと該Ｕ字状の基端部４５ａ内を挿通した一方のチョークコイル３５の他端部３５ｂはコネクタユニット４０の下段の開口部４４ａより露出し、また、ターミナル４６のＵ字状の基端部４６ａと該Ｕ字状の基端部４６ａ内に挿通した他方のチョークコイル３６の他端部３６ｂは中段の開口部４４ｂより露出し、さらに、ターミナル４７のＵ字状の基端部４７ａと該Ｕ字状の基端部４７内に挿通したリードワイヤ３９の他端部３９ｂは上段の開口部４４ｃより露出する。
【００３６】
次に、図３に示すように、コネクタユニット４０の各開口部４４ａ，４４ｂ，４４ｃの両側から一対の電極４９，４９にて各ターミナル４５，４６，４７のＵ字状の基端部４５ａ，４６ａ，４７ａを押し潰すと同時に該各ターミナル４５，４６，４７のＵ字状の基端部４５ａ，４６ａ，４７ａと各チョークコイル３５，３６の他端部３５ｂ，３６ｂとリードワイヤ３９の他端部３９ｂとをスポット溶接によりそれぞれ接合させる。そして、ブラシホルダ本体２１にブラシボックス３１を取り付けたステー３０を取り付けることにより、ブラシホルダ２０が組み立てられる。
【００３７】
このように、各ブラシ３２，３３のピグテールワイヤ３４と各ターミナル４５，４６，４７とをブラシホルダ本体２１の底壁部２２に配索された給電用のリードワイヤとしての各チョークコイル３５，３６の他端部３５ｂ，３６ｂ及びリードワイヤ３９を介して電気的に接続したことにより、従来のような複雑な形状のターミナルアッセンブリ（端子組立部品）が不要となり、その分、部品及び組立の工数を削減することができると共に低コスト化を図ることができる。この各チョークコイル３５，３６の他端部３５ｂ，３６ｂを給電用のリードワイヤとして用いることにより、別に雑音防止素子を設ける必要がなくなり、その分、部品点数の削減及び低コスト化をより一段と図ることができる。
【００３８】
また、各チョークコイル３５，３６の他端部３５ｂ，３６ｂとリードワイヤ３９の他端部３９ｂをブラシホルダ本体２１の底壁部２２の下面２２ｂより外側に所定長突出させ、ブラシホルダ本体２１の底壁部２２の下面２２ｂにコネクタユニット４０を取り付ける際に、外側に所定長突出した各チョークコイル３５，３６の他端部３５ｂ，３６ｂとリードワイヤ３９の他端部３９ｂとをコネクタユニット４０の上面に形成された逆円錐面状の挿通孔４３ａ，４３ｂ，４３ｃを介して挿通させて、各ターミナル４５，４６，４７のＵ字状の基端部４５ａ，４６ａ，４７ａと該各ターミナル４５，４６，４７のＵ字状の基端部４５ａ，４６ａ，４７ａ内に挿通した各チョークコイル３５，３６の他端部３５ｂ，３６ｂとリードワイヤ３９の他端部３９ｂとをコネクタユニット４０の各開口部４４ａ，４４ｂ，４４ｃに露出させて、各開口部４４ａ，４４ｂ，４４ｃの両側から一対の電極４９，４９にて各ターミナル４５，４６，４７のＵ字状の基端部４５ａ，４６ａ，４７ａを押し潰すと同時に各ターミナル４５，４６，４７のＵ字状の基端部４５ａ，４６ａ，４７ａと各チョークコイル３５，３６の他端部３５ｂ，３６ｂ及びリードワイヤ３９の他端部３９ｂとをスポット溶接接合したことにより、ブラシホルダ本体２１の底壁部２２にコネクタユニット４０を取り付けた後で、各ターミナル４５，４６，４７のＵ字状の基端部４５ａ，４６ａ，４７ａと各チョークコイル３５，３６の他端部３５ｂ，３６ｂ及びリードワイヤ３９の他端部３９ｂとを簡単かつ確実に接続させることができる。
【００３９】
これにより、各ターミナル４５，４６，４７のＵ字状の基端部４５ａ，４６ａ，４７ａと各チョークコイル３５，３６の他端部３５ｂ，３６ｂ及びリードワイヤ３９の他端部３９ｂとの接合部の剥離を確実に防止することができ、常に良好な導通状態を維持することができる。また、組立作業が簡単で、大きな設備を使用することがなく、さらに、材料コストも抑えられるため、部品及び組立の工数を大幅に削減することができ、全体の低コスト化を図ることができる。
【００４０】
尚、前記実施形態によれば、サーキットブレーカターミナルの他端部とリードワイヤの一端部、及び、各ターミナルのＵ字状の基端部と該Ｕ字状の基端部に挿通される各チョークコイルの他端部とリードワイヤの他端部とをスポット溶接によりそれぞれ接合したが、半田付け等の他の手段により接合しても良い。
【図面の簡単な説明】
【００４１】
【図１】本発明の一実施形態のモータを示す斜視図である。
【図２】上記モータのギヤケースカバーに支持されたブラシホルダをカバー側から見た斜視図である。
【図３】上記ブラシホルダの斜視図である。
【図４】上記ブラシホルダの底面側にコネクタユニットを取り付ける前の状態を示す斜視図である。
【図５】上記コネクタユニットの一方のターミナルホルダを取り外した状態を示す斜視図である。
【図６】上記ブラシホルダのブラシホルダ本体に縦置きと横置きのチョークコイルをそれぞれ取り付ける前の状態を示す斜視図である。
【図７】上記ブラシホルダ本体にサーキットブレーカを取り付ける前の状態を示す斜視図である。
【図８】上記ブラシホルダ本体に横置きのチョークコイルを取り付けた状態を示す部分拡大斜視図である。
【図９】上記ブラシホルダ本体にサーキットブレーカ用のリードワイヤを取り付ける前の状態を示す斜視図である。
【図１０】上記ブラシホルダ本体に縦置きと横置きのチョークコイル及びサーキットブレーカとリードワイヤをそれぞれ取り付けた状態を示す斜視図である。
【図１１】上記ブラシホルダ本体の底壁部に複数のリードワイヤを配索した状態を示す部分拡大斜視図である。
【図１２】上記ブラシホルダ本体の底壁部より外側へ複数のリードワイヤの他端部側をそれぞれ突出させた状態を示す斜視図である。
【符号の説明】
【００４２】
１０  モータ
１５  アーマチュア軸
１６  コンミュテータ
２０  ブラシホルダ
２２  底壁部
２５ａ，２５ｂ，２５ｃ  貫通孔
３１  ブラシボックス
３２，３３  ブラシ
３４  ピグテールワイヤ
３５  チョークコイル
３５ｂ  他端部（給電用のリードワイヤ）
３６  チョークコイル
３６ｂ  他端部（給電用のリードワイヤ）
３９  給電用のリードワイヤ
３９ｂ  他端部
４０  コネクタユニット
４１，４１  一対のターミナルホルダ
４３ａ，４３ｂ，４３ｃ  逆円錐面状の挿通孔
４４ａ，４４ｂ，４４ｃ  開口部
４５，４６，４７  ターミナル
４５ａ，４６ｂ，４７ｂ  Ｕ字状の基端部
【図１】
2010154660.tif 000003
【図２】
2010154660.tif 000004
【図３】
2010154660.tif 000005
【図４】
2010154660.tif 000006
【図５】
2010154660.tif 000007
【図６】
2010154660.tif 000008
【図７】
2010154660.tif 000009
【図８】
2010154660.tif 000010
【図９】
2010154660.tif 000011
【図１０】
2010154660.tif 000012
【図１１】
2010154660.tif 000013
【図１２】
2010154660.tif 000014